(57)【特許請求の範囲】
【請求項１】
文字盤に対して回転自在に設けられた第１指針と、
前記第１指針の回転動作を制御する駆動制御手段と、
ユーザの入力操作を受け付ける操作手段と
を備え、
前記駆動制御手段は、
前記操作手段への所定の開始操作に応じ、前記第１指針を２以上の所定ステップ数早送りで回転動作させるごとに、当該回転動作を所定時間一時停止させる早送り動作を行う間欠早送り手段と、
前記操作手段への所定の開始操作に応じ、前記第１指針を前記一時停止させずに連続的に早送りで回転動作させる早送り動作を行う連続早送り手段と、
前記操作手段への入力操作に応じ、前記間欠早送り手段による早送り動作と、前記連続早送り手段による早送り動作との間で切り替える早送り種別切替手段と
を備えることを特徴とするアナログ電子時計。
【請求項２】
文字盤に対して回転自在に設けられた第１指針と、
前記第１指針の回転動作を制御する駆動制御手段と、
ユーザの入力操作を受け付ける操作手段と
を備え、
前記駆動制御手段は、
前記操作手段への所定の開始操作に応じ、前記第１指針を２以上の所定ステップ数早送りで回転動作させるごとに、当該回転動作を所定時間一時停止させる早送り動作を行う間欠早送り手段と、
前記第１指針を前記一時停止させずに連続的に早送りで回転動作させる早送り動作を行う連続早送り手段と、を備え、
前記早送り動作がなされていないときに所定の開始操作が検出された場合には、前記間欠早送り手段による早送り動作を開始させ、
前記間欠早送り手段による早送り動作中に前記所定の開始操作が検出された場合には、前記連続早送り手段による早送り動作に移行させる
ことを特徴とするアナログ電子時計。
【請求項３】
前記第１指針が所定の単位ステップ数回転動作されるごとに１ステップ回転動作するように輪列機構を介して設けられた第２指針を備え、
前記所定ステップ数は、前記単位ステップ数の整数倍に設定される
ことを特徴とする請求項１又は２記載のアナログ電子時計。
【請求項４】
前記文字盤に対して回転自在に配置された第２指針を備え、
前記駆動制御手段は、前記第１指針を所定の単位ステップ数回転動作させるごとに前記第２指針を１ステップ回転動作させ、
前記所定ステップ数は、前記単位ステップ数の整数倍に設定される
ことを特徴とする請求項１又は２記載のアナログ電子時計。
【請求項５】
前記所定ステップ数は、前記第１指針が前記文字盤に対して一周するのに要するステップ数に設定されることを特徴とする請求項３又は４記載のアナログ電子時計。
【請求項６】
前記操作手段への入力操作に基づいて、前記間欠早送り手段により前記第１指針を早送りさせる場合の前記所定ステップ数を設定するステップ数設定手段を備えることを特徴とする請求項１〜５の何れか一項に記載のアナログ電子時計。
【発明の詳細な説明】
【技術分野】
【０００１】
この発明は、アナログ電子時計に関する。
【背景技術】
【０００２】
複数の指針に文字盤の所定の位置を指し示させることで時刻を表示するアナログ電子時計がある。このアナログ電子時計では、従来、ステッピングモータに駆動パルス電圧を印加してこのステッピングモータのロータを回転させ、歯車の配列である輪列機構によりこのロータの回転を所定のギア比で指針に伝達することで、指針を回転動作させている。
【０００３】
アナログ電子時計では、この駆動パルス電圧の出力間隔を制御することで、各指針を連続的に複数ステップ早送り移動させることができる。このようなアナログ電子時計では、外部から電波受信などにより取得された正確な現在時刻への修正、電力状態に応じた指針動作の制限や解除、及び、ユーザによる押しボタンスイッチの操作に応じた表示モードや動作状態の切り替えなどに応じて、自動的に設定された目標位置まで指針を早送りする動作が行われる。
【０００４】
一方、アラーム報知機能を有するアナログ時計において、従来、一本の目安針を用い、この目安針の位置に対応したアラーム時刻に報知動作を行う目安機構を備えたものがある。特許文献１には、この報知動作の検査の際に、目安針により設定されたアラーム時刻の数秒前まで時刻を表す各指針を早送り移動させ、その後通常の動作速度に落として指針を移動させることで、指針位置と報知動作のタイミングのずれを検査する技術が開示されている。また、特許文献２には、指針を所定の基準位置に早送り移動させる際に、当該基準位置の近傍に目安針を用いた位置検出機構を設定して当該位置まで早送りをさせた後に、正確な位置まで手動で動作させることで、目安針による設定時刻の機械的誤差に対応させる技術が開示されている。
【０００５】
また、近年、アナログ電子時計において、ユーザが押しボタンスイッチやりゅうずの操作により手動でデータ設定などの指針動作を行わせる場合には、ユーザによって押しボタンスイッチやりゅうずに対して所定の操作がなされることで、１ステップずつ指針を移動させたり、再度の所定の操作がなされるまで早送り動作を継続的に行わせたりすることが選択的に可能となっている。
【先行技術文献】
【特許文献】
【０００６】
【特許文献１】特開２００２−３２３５７９号公報
【特許文献２】特開２００４−３５４３４９号公報
【発明の概要】
【発明が解決しようとする課題】
【０００７】
しかしながら、高速で指針を早送り移動させると、ユーザが所望の位置の近くで指針の早送りを停止させるのが難しくなるという課題がある。即ち、ユーザの所望の位置から大きく離れた位置から１ステップずつ指針を移動させなければならない場合が生じるという課題がある。
【０００８】
この発明の目的は、ユーザがより容易に所望の位置へ指針を移動させることができるアナログ電子時計を提供することにある。
【課題を解決するための手段】
【０００９】
本発明は、上記目的を達成するため、
文字盤に対して回転自在に設けられた第１指針と、
前記第１指針の回転動作を制御する駆動制御手段と、
ユーザの入力操作を受け付ける操作手段と
を備え、
前記駆動制御手段は、
前記操作手段への所定の開始操作に応じ、前記第１指針を２以上の所定ステップ数早送りで回転動作させるごとに、当該回転動作を所定時間一時停止させる早送り動作を行う間欠早送り手段と、
前記操作手段への所定の開始操作に応じ、前記第１指針を前記一時停止させずに連続的に早送りで回転動作させる早送り動作を行う連続早送り手段と、
前記操作手段への入力操作に応じ、前記間欠早送り手段による早送り動作と、前記連続早送り手段による早送り動作との間で切り替える早送り種別切替手段と
を備えることを特徴とするアナログ電子時計である。
本発明は、上記目的を達成するため、
文字盤に対して回転自在に設けられた第１指針と、
前記第１指針の回転動作を制御する駆動制御手段と、
ユーザの入力操作を受け付ける操作手段と
を備え、
前記駆動制御手段は、
前記操作手段への所定の開始操作に応じ、前記第１指針を２以上の所定ステップ数早送りで回転動作させるごとに、当該回転動作を所定時間一時停止させる早送り動作を行う間欠早送り手段と、
前記第１指針を前記一時停止させずに連続的に早送りで回転動作させる早送り動作を行う連続早送り手段と、を備え、
前記早送り動作がなされていないときに所定の開始操作が検出された場合には、前記間欠早送り手段による早送り動作を開始させ、
前記間欠早送り手段による早送り動作中に前記所定の開始操作が検出された場合には、前記連続早送り手段による早送り動作に移行させる
ことを特徴とするアナログ電子時計である。
【発明の効果】
【００１０】
本発明に従うと、アナログ電子時計において、ユーザがより容易に所望の位置へ指針を移動させることができるという効果がある。
【図面の簡単な説明】
【００１１】
【図１】本発明の第１実施形態のアナログ電子時計の内部構成を示すブロック図である。
【図２】指針を１ステップ移動させる運針処理の制御手順を示すフローチャートである。
【図３】本実施形態のアナログ電子時計における指針の手動移動動作の動作手順を説明する図である。
【図４】指針の手動移動動作に係る運針設定処理の制御手順を示すフローチャートである。
【図５】操作設定処理で起動される早送り駆動制御処理の制御手順を示すフローチャートである。
【図６】第２実施形態のアナログ電子時計の内部構成を示すブロック図である。
【発明を実施するための形態】
【００１２】
以下、本発明の実施の形態を図面に基づいて説明する。
［第１実施形態］
図１は、本発明の第１実施形態のアナログ電子時計１００の内部構成を示すブロック図である。
【００１３】
本実施形態のアナログ電子時計１００は、特には限られないが、例えば、腕時計型のものである。このアナログ電子時計１００は、時計の文字盤上を各々所定の角度ステップで回転する秒針１２（第１指針）、分針１３（第２指針）、及び、時針１４と、文字盤の下を回転する日車１５と（以降まとめて時刻指針１２〜１５とも記す）、輪列機構２２〜２５と、ステッピングモータ３２、３４と、駆動回路４０と、ＣＰＵ４１（Central Processing Unit）（駆動制御手段、間欠早送り手段、連続早送り手段、早送り種別切替手段、ステップ数設定手段）と、ＲＯＭ４２（Read Only Memory）と、ＲＡＭ４３（Random Access Memory）と、発振回路４４と、分周回路４５と、計時回路４６と、ピエゾ素子４８及びドライバ４７と、操作部４９（操作手段）と、電源部５０などを備えている。
【００１４】
秒針１２は、ステッピングモータ３２の回転が輪列機構２２を介して伝達されて回転動作する。また、分針１３は、輪列機構２２における所定の歯車の回転を所定のギア比で更に伝達する輪列機構２３を介して伝達された回転により回転動作する。即ち、このアナログ電子時計１００では、秒針１２と分針１３が連動してステッピングモータ３２の回転駆動に応じて回転動作する。一方、時針１４は、ステッピングモータ３４の回転が輪列機構２４を介して伝達されて回転動作する。また、日車１５は、輪列機構２４における所定の歯車の回転が所定の間隔で周期的に伝達される輪列機構２５を介して間欠的に所定角度ずつ回転動作する。即ち、このアナログ電子時計１００では、時針１４と日車１５がステッピングモータ３４の回転駆動に応じて回転動作する。
【００１５】
秒針１２は、輪列機構２２により６度ステップで回転移動する。通常の時刻表示状態では、秒針１２は、１秒ごとに１ステップ回転移動することで、６０秒で一周し、時刻の秒桁の値を表示する。また、本実施形態のアナログ電子時計１００では、分針１３は、秒針１２が１０ステップ（単位ステップ数）、即ち、６０度移動するごとに１回、輪列機構２２及び２３により１度ステップで回転移動する。通常の時刻表示状態では、分針１３は、１０秒ごとに１ステップ回転移動することで、３６００秒（１時間）で一周し、時刻の分桁の値を表示する。また、秒針１２及び分針１３を早送り移動させる場合には、例えば、秒針１２を正転方向又は逆転方向にそれぞれ６４ｐｐｓ（Pulse per second）で早送り移動させることが可能であり、分針１３は、秒針１２が１０ステップ移動するごとに１ステップの割合で移動する。
【００１６】
時針１４は、輪列機構２４により１度ステップで回転移動する。通常の時刻表示状態では、時針１４は、２分ごとに１ステップ回転移動することで、７２０分（１２時間）で一周し、時刻の時桁の値を表示する。また、本実施形態のアナログ電子時計１００では、日車１５は、時針１４が２周する間、即ち、２４時間に１回所定の期間（例えば、２２時から２時の間）にのみ時針１４の回転動作に連動して回転する。円環状の日車１５の表面には、日付を示す１〜３１の標識が設けられており、何れかの標識が選択的に文字盤における所定の位置から露出表示されることで、現在の日付を表示する。上記所定の期間における日車１５の回転動作が１回行われるごとに、露出表示される日付の標識が１日分変化する角度だけ日車１５が回転移動する。また、時針１４と日車１５を早送り移動させる場合、アナログ電子時計１００が現在時刻やアラーム設定時刻、タイマー時刻といった時間についての表示を行っているときには、ＣＰＵ４１により、時針１４の移動を分針１３及び秒針１２の早送り移動に連動して移動させるように制御される。即ち、この早送り制御では、分針１３が１２ステップ移動するごとに時針１４が１ステップ移動するようにＣＰＵ４１からステッピングモータ３２、３４に対して駆動制御信号が出力される。
【００１７】
駆動回路４０は、ＣＰＵ４１から入力される駆動制御信号に基づいて、ステッピングモータ３２、３４にロータの回転駆動に係る電圧パルス信号を出力する。このアナログ電子時計１００では、駆動回路４０による電圧パルス信号の出力は、複数の指針に対して同時に行われないように適宜調節される。
【００１８】
ＣＰＵ４１は、各種演算処理を行い、アナログ電子時計１００の全体動作を統括制御する。ＣＰＵ４１は、ＲＯＭ４２から読み出された制御プログラムを実行することで、アナログ電子時計１００の各部に時刻表示機能をはじめとする種々の機能に係る動作を行わせる。
【００１９】
ＲＯＭ４２は、アナログ電子時計１００が実行する各種機能に係る制御プログラムや初期設定データを記憶する。本実施形態のアナログ電子時計１００では、この制御プログラムにより、時刻表示機能に係る動作制御のほか、例えば、アラーム報知機能に係る動作、ストップウォッチ機能に係る表示動作、及び、タイマー機能に係る表示及び動作の制御を行うことが可能となっている。
このＲＯＭ４２の一部又は全部は、フラッシュメモリなどのデータ書き換えが可能な不揮発性メモリであってもよい。
【００２０】
ＲＡＭ４３は、ＣＰＵ４１に作業用のメモリ空間を提供し、一時データを記憶する揮発性メモリである。このＲＡＭ４３には、時刻指針１２〜１５の設定位置を示す設定位置データと、実際の時刻指針１２〜１５の位置を示す指針位置データとが記憶されている。また、ＲＡＭ４３には、ユーザの手動操作により指針を早送り移動させる場合には、早送り状態を示すフラグが記憶される。
【００２１】
発振回路４４は、所定の周波数の信号を生成して出力する回路であり、例えば、水晶発振回路である。分周回路４５は、発振回路４４から出力された所定の周波数の信号をＣＰＵ４１や計時回路４６が利用する予め設定された周波数の信号に分周して出力する。この出力信号に係る周波数設定は、ＣＰＵ４１からの入力命令により変更可能である。計時回路４６は、分周回路４５から入力された周波数信号の入力回数を計数し、初期設定時刻データに加算していくことで現在時刻を計数する。
【００２２】
ピエゾ素子４８は、ＣＰＵ４１から入力される制御信号に基づいてドライバ４７から出力される電圧信号により動作してブザー音を発生する。このブザー音は、例えば、アラーム設定時刻やタイマー機能における設定時間経過を報知する場合に用いられる。
【００２３】
操作部４９は、押しボタンスイッチやりゅうずといったユーザインタフェイスを備え、押しボタンスイッチの押下や、りゅうずの引き出し動作、押し戻し動作、正転方向又は逆転方向への所定角度の回転動作といった入力操作を検出して電気信号に変換し、入力信号としてＣＰＵ４１に出力する。これらの押しボタンスイッチやりゅうずは、特には限られないが、腕時計における表示面に対して側面部分に設けられている。
【００２４】
電源部５０は、ＣＰＵ４１やアナログ電子時計１００の各部に電力を供給する。この電源部５０としては、軽量、且つ、長時間継続的に電力供給が可能な構成が用いられる。例えば、この電源部５０としては、ソーラ電池と二次電池とが組み合わせて用いられる。また、ボタン型乾電池を用いたり、ボタン型乾電池とソーラ電池とを併用したりしてもよい。
【００２５】
次に、本実施形態のアナログ電子時計１００における運針動作について説明する。
【００２６】
本実施形態のアナログ電子時計１００では、時間の経過に伴う指針（以下、この指針として秒針１２の時刻表示状態における動作について示すが、分針１３は、秒針１２の回転移動に連動して自動的に回転し、また、時針１４及び日車１５は、分針１３の回転に連動して回転するように制御される）の１ステップ分の自動移動動作、機能モードの切り替えなどにより予め定められた初期位置へ自動的に指針を移動させる自動早送り動作、操作部４９へのユーザの入力操作に基づく指針位置の１ステップ分の手動移動動作、及び、連続的な手動早送り動作が可能となっている。
【００２７】
このアナログ電子時計１００では、１ステップ分の自動移動動作、及び、手動移動動作は、ＣＰＵ４１がＲＡＭ４３に記憶された設定位置データを更新することで行われる。この更新は、定期的に実行される運針処理において設定位置データと指針位置データとの差異として検出され、差異が検出されると、時刻指針１２〜１５を設定位置に合うように移動させる運針処理が行われる。
【００２８】
図２は、運針処理のＣＰＵ４１による制御手順を示すフローチャートである。
運針処理が開始されると、ＣＰＵ４１は、ＲＡＭ４３に記憶された設定位置データと指針位置データとが異なるか否かを判別する（ステップＳ１０１）。異ならない（等しい）と判別された場合には（ステップＳ１０１で“ＮＯ”）、ＣＰＵ４１は、そのまま運針処理を終了する。一方、異なると検出された場合には（ステップＳ１０１で“ＹＥＳ”）、ＣＰＵ４１は、内部動作上運針を許可するフラグである運針開始フラグがセットされているか否かを判別する（ステップＳ１０２）。運針開始フラグがセットされてないと判別された場合には（ステップＳ１０２で“ＮＯ”）、ＣＰＵ４１は、そのまま運針処理を終了する。運針開始フラグがセットされていると判別された場合には（ステップＳ１０２で“ＹＥＳ”）、ＣＰＵ４１は、設定位置データに係る指針位置まで指針を移動させる駆動制御信号を駆動回路４０に出力する（ステップＳ１０３）。そして、ＣＰＵ４１は、指針位置データを更新した後、運針処理を終了する。
【００２９】
一方、連続的な自動早送り動作又は手動早送り動作が行われる場合には、まとめて早送り動作に係る処理が呼び出されて優先的に指針の早送り動作がなされる。このとき、自動早送り動作では、予め設定された早送り速度（６４ｐｐｓ）で指針が移動目標位置まで継続的に早送り移動される。これに対し、本実施形態のアナログ電子時計１００では、手動早送り動作が実行された場合に、早送りの停止動作が入力されるまで継続的に予め設定された早送り速度（６４ｐｐｓ）で指針を早送りさせる連続早送りモードと、所定ステップ数早送りが行われるごとに所定時間一時停止状態が挿入される間欠早送りモードの二種類の何れかが実施可能となっている。本実施形態のアナログ電子時計１００では、間欠早送りモードにおいて、例えば、秒針１周分６０ステップ、即ち、１分の早送りが行われるごとに、０．５秒間ずつ一時停止が挿入される。
なお、この間欠早送りモードにおける一回当たりの早送りステップ数は、ユーザ個々の利便性や指針の１ステップ当たりの移動角度などに基づき、操作部４９への入力操作などによって可変に設定されてもよい。同様に、一時停止時間の長さも、操作部４９への入力操作などによって可変に設定されても良い。
【００３０】
ここで、手動による指針の移動動作の切り替え制御について説明する。
手動移動動作及び手動早送り動作は、例えば、アラーム動作の設定モードやタイマー機能モードにおいて、アラーム時刻やタイマー時間を設定する場合に用いられる。
【００３１】
図３は、本実施形態のアナログ電子時計１００における手動での指針移動動作の切り替えについて説明する図である。この図において、時間軸（横軸）に対して垂直に設けられた実線がユーザによるりゅうずの回転操作を表す。
【００３２】
このアナログ電子時計１００では、りゅうずを引き出す操作により指針位置の移動可能状態に移行する（ｐ）。この移動可能状態においてりゅうずが回転動作されることで、移動対象の指針について１ステップずつ手動移動動作が行われる（（ｑ）〜（ｒ））。次いで、所定時間（例えば、０．５秒）内に所定回数（例えば、３回）のりゅうず回転動作（所定の開始操作）が検出されると、間欠早送りモードに移行する（ｒ）。更に、この状態で所定時間内に所定回数のりゅうず回転動作が検出されると、連続早送りモードに移行する（ｓ）。間欠早送りモード、又は、連続早送りモードにおいて、早送り回転方向に応じたりゅうずの回転方向とは反対向きにりゅうずの回転動作がなされると、手動早送り動作が終了する（ｔ）。その後、再度、指針を移動させることが可能であり（（ｔ）〜（ｕ））、最後に、りゅうずが押し込まれることで、移動可能状態が解除される（ｕ）。
【００３３】
図４は、りゅうずが引き出されたことで開始される運針設定処理のＣＰＵ４１による制御手順を示すフローチャートである。
【００３４】
運針設定処理が開始されると、ＣＰＵ４１は、先ず、りゅうずの回転動作が検出されたか否かを判別する（ステップＳ１１１）。りゅうずの回転動作が検出されていないと判別された場合には（ステップＳ１１１で“ＮＯ”）、ＣＰＵ４１の処理は、ステップＳ１２４に移行する。りゅうずの回転動作が検出されたと判別された場合には（ステップＳ１１１で“ＹＥＳ”）、次に、ＣＰＵ４１は、検出されたりゅうずの回転動作が、その検出前所定時間（０．５秒）以内における所定回目（３回目）の回転動作の検出であるか否かを判別する（ステップＳ１１２）。
【００３５】
所定回目の回転動作の検出であると判別された場合には（ステップＳ１１２で“ＹＥＳ”）、ＣＰＵ４１は、間欠早送りモードを示す一時停止フラグがセットされているか否かを判別する（ステップＳ１１３）。一時停止フラグがセットされていないと判別された場合には（ステップＳ１１３で“ＮＯ”）、ＣＰＵ４１は、続いて、連続早送りモードを示す連続早送りフラグがセットされているか否かを判別する（ステップＳ１１４）。連続早送りフラグがセットされていないと判別された場合には（ステップＳ１１４で“ＮＯ”）、指針の早送りがなされていない状態であり、ＣＰＵ４１は、一時停止フラグをセットした後（ステップＳ１１５）、後述する早送り駆動制御処理を起動する（ステップＳ１１６）。それから、ＣＰＵ４１の処理は、ステップＳ１２４に移行する。連続早送りフラグがセットされていると判別された場合には（ステップＳ１１４で“ＹＥＳ”）、既に早送り駆動制御処理が起動され、連続早送りモードとなっているので、ＣＰＵ４１の処理は、そのままステップＳ１２４に移行する。
【００３６】
ステップＳ１１３の判別処理で、一時停止フラグがセットされていると判別された場合には（ステップＳ１１３で“ＹＥＳ”）、既に早送り駆動制御処理が起動され、間欠早送りモードとなっているので、ＣＰＵ４１は、一時停止フラグをリセットし、また、連続早送りフラグをセットすることで連続早送りモードに移行させる（ステップＳ１１７）。それから、ＣＰＵ４１の処理は、ステップＳ１２４に移行する。
【００３７】
一方、ステップＳ１１２の判別処理で、連続した所定回目の回転動作の検出ではないと判別された場合には（ステップＳ１１２で“ＮＯ”）、次いで、ＣＰＵ４１は、現在早送り動作中であるか否かを判別する（ステップＳ１１８）。早送り動作中、即ち、間欠早送りモード、又は、連続早送りモードにあると判別された場合には（ステップＳ１１８で“ＹＥＳ”）、ＣＰＵ４１は、検出されたりゅうず操作が早送り停止操作であるか否かを判別する（ステップＳ１１９）。具体的には、ＣＰＵ４１は、早送りの方向に対応するりゅうずの回転方向とは反対向きにりゅうずの回転操作がなされたのか否かを判別する。早送り停止操作であると判別された場合には（ステップＳ１１９で“ＹＥＳ”）、ＣＰＵ４１は、起動中の早送り駆動制御処理を終了させる（ステップＳ１２０）。また、ＣＰＵ４１は、一時停止フラグ及び連続早送りフラグをリセットする（ステップＳ１２１）。それから、ＣＰＵ４１の処理は、ステップＳ１２４に移行する。早送り停止操作ではないと判別された場合には（ステップＳ１１９で“ＮＯ”）、ＣＰＵ４１の処理は、そのままステップＳ１２４に移行する。
【００３８】
ステップＳ１１８の判別処理で、現在、早送り動作中ではないと判別された場合には（ステップＳ１１８で“ＮＯ”）、ＣＰＵ４１は、ＲＡＭ４３が記憶している指針（秒針１２）の設定位置データをりゅうずの回転方向に従って正転方向又は逆転方向の何れかに１ステップ移動させ（ステップＳ１２２）、また、運針開始フラグをセットする（ステップＳ１２３）。それから、ＣＰＵ４１の処理は、ステップＳ１２４に移行する。
【００３９】
ステップＳ１１１、Ｓ１１４、Ｓ１１６、Ｓ１１７、Ｓ１１９、Ｓ１２１、Ｓ１２３の処理からステップＳ１２４の処理に移行すると、ＣＰＵ４１は、運針設定終了操作が検出されたか否かを判別する。即ち、ＣＰＵ４１は、りゅうずの押し戻し動作が検出されたか否かを判別し、検出されていないと判別された場合には（ステップＳ１２４で“ＮＯ”）、ＣＰＵ４１の処理は、ステップＳ１１１に戻る。運針設定終了操作が検出されたと判別された場合には（ステップＳ１２４で“ＹＥＳ”）、ＣＰＵ４１は、運針設定処理を終了する。
【００４０】
図５は、運針設定処理で起動される早送り駆動制御処理のＣＰＵ４１による制御手順を示すフローチャートである。
【００４１】
この早送り駆動制御処理は、上記の運針設定処理におけるステップＳ１１６の処理で起動されると、ステップＳ１２０の処理で終了動作がなされるか、又は、例えば、りゅうずが押し戻されて強制終了されるなどによる外部からの終了動作が行われるまで、上記運針設定処理と並行して継続的に実行される。
【００４２】
早送り駆動制御処理が起動されると、ＣＰＵ４１は、先ず、駆動回路４０に駆動制御信号を出力して指針を１ステップ運針させる（ステップＳ１３１）。次に、ＣＰＵ４１は、一時停止フラグがセットされているか否かを判別する（ステップＳ１３２）。一時停止フラグがセットされていないと判別された場合には（ステップＳ１３２で“ＮＯ”）、ＣＰＵ４１の処理は、ステップＳ１３１に戻り、所定駆動速度（間隔）で次の駆動制御信号を出力する。
【００４３】
一時停止フラグがセットされていると判別された場合には（ステップＳ１３２で“ＹＥＳ”）、次に、ＣＰＵ４１は、前回の指針早送りの一時停止以降、予め設定された所定ステップ数（例えば、６０ステップ）指針を運針させたか否かを判別する（ステップＳ１３３）。所定ステップ数運針させていないと判別された場合には（ステップＳ１３３で“ＮＯ”）、ＣＰＵ４１の処理は、ステップＳ１３１に戻り、所定駆動速度（間隔）で次の駆動制御信号を出力する。
【００４４】
所定ステップ数運針させたと判別された場合には（ステップＳ１３３で“ＹＥＳ”）、ＣＰＵ４１は、次いで、今回の一時停止の開始から所定時間（例えば、０．５秒）が経過したか否かを判別する（ステップＳ１３４）。ここで、一時停止がまだ開始されていない場合には、ＣＰＵ４１は、経過時間の計数を開始する。そして、所定時間が経過したと判別された場合には（ステップＳ１３４で“ＹＥＳ”）、ＣＰＵ４１の処理は、ステップＳ１３１に戻り、再び所定駆動速度（間隔）で次の駆動制御信号を出力する。一方、所定時間が経過していないと判別された場合には（ステップＳ１３４で“ＮＯ”）、ＣＰＵ４１の処理は、ステップＳ１３２に戻る。即ち、ＣＰＵ４１は、この間、駆動回路４０に駆動制御信号を出力しない。
ここで、上記のように、この早送り駆動制御処理は、運針設定処理と並行で実行されるので、運針設定処理で一時停止フラグの設定が変更された場合には、早送り駆動制御処理におけるステップＳ１３２の判別処理の結果も即座に変更されて、指針の早送り動作が間欠早送りモードから連続早送りモードに移行する。
【００４５】
以上のように、第１実施形態のアナログ電子時計１００は、文字盤に対して回転自在に設けられた秒針１２と、秒針１２の回転動作を制御するＣＰＵ４１と、りゅうずを含む操作部４９とを備え、ＣＰＵ４１は、りゅうずの回転操作に基づき、秒針１２を所定ステップ数早送り移動させるごとに所定時間一時停止させる間欠早送りモードによる早送り駆動制御を行うので、ユーザがタイミングよく早送りを終了させられずに秒針１２が所望の位置から大きくずれた位置で早送りを停止せざるを得ない状況の発生を低減させることができる。
【００４６】
また、ユーザが秒針１２を複数ステップ移動させようとする場合などに、りゅうずを意図せず連続回転させてしまい、遥か先の位置まで秒針１２が移動してしまったりする可能性を低減させることができる。また、もし誤って早送りを行ってしまった場合でも、同様に逆回転で間欠早送りモードによる早送り移動をさせることで元の位置に戻し易いので、更に指針位置の修正が容易になる。
【００４７】
また、間欠的な早送りは、ＣＰＵ４１により自動的に繰り返され、ユーザが所定ステップ数の早送りを繰り返し行う必要がないので、ユーザによる早送り開始に係る操作の手間を増やさない。
【００４８】
また、ＣＰＵ４１は、りゅうずの回転操作に基づき、早送り駆動制御において秒針１２を一時停止が行われない連続早送りモードで早送り移動させることが出来、また、ユーザによる操作により間欠早送りモード、又は、連続早送りモードの何れかによる早送り移動を選択的に実行させることができる。従って、間欠早送りモードで早送りさせるには大きなステップ数を移動させる場合には、先ず、所望の位置の近くまで指針を連続して移動させることができるので、秒針１２の移動時間を短縮することができる。
【００４９】
また、秒針１２の手動移動時には、１ステップずつの早送りから、先ず、間欠早送りモードに移行させた後、更に、連続早送りモードに移行させていく構成となっているので、上記のように、意図しない早送りへの移行に対応しつつ、必要に応じて速やかに連続早送りモードに移行させることができる。
【００５０】
また、特に、分針１３が輪列機構２２、２３により秒針１２と連動して回転動作する場合に、分針１３を移動させるために秒針１２を多数回早送りで回転させる必要が生じても容易に分針１３及び秒針１２を目標位置に到達させることができる。
【００５１】
また、分針１３の動作間隔に対応したステップ数ごとに間欠的に指針の早送りを行うことで、ユーザは、残りどの程度間欠的な早送りが行われれば良いかを容易に判断して適切なタイミングで早送りを終了させることができる。
【００５２】
また、特に、表示時刻や時間が秒針１２の一回転分、即ち、１分変更されるごとに間欠的に早送り動作が行われるので、ユーザは、更に容易に間欠的な早送りの行われる回数を判断して適切な位置で秒針１２及び分針１３を停止させることができる。
【００５３】
また、ユーザのりゅうず操作の癖や１ステップごとの指針移動を行ってもよいと感じるステップ数の違いなどに応じて間欠早送りモードにおける所定ステップ数を可変に設定することができるので、ユーザがより容易に所望の位置へ指針の早送り移動を行うことができる。
【００５４】
［第２実施形態］
図６は、第２実施形態のアナログ電子時計１００ａの内部構成を示すブロック図である。
この第２実施形態のアナログ電子時計１００ａは、ステッピングモータ３２が輪列機構２２を介して秒針１２のみを回転動作させ、新たに追加されたステッピングモータ３３により、分針１３が輪列機構２３を介して独立に回転動作される点を除き、第１実施形態のアナログ電子時計１００の構成と同一である。同一の構成については、同一の符号を付して説明を省略する。
【００５５】
第２実施形態のアナログ電子時計１００ａにおける指針（秒針１２）の手動移動動作の制御手順は、図２〜図５に示した内容と同一であり、説明を省略する。
ここで、独立に秒針１２及び分針１３の回転動作が可能な場合には、時刻表示や時間表示における分針１３の動作タイミングは、秒針１２の回転動作回数（位置情報）に基づいて制御される。従って、時刻表示や時間表示を早送りさせる場合にも、同様に、ＣＰＵ４１は、秒針１２の回転動作回数に応じて分針１３を回転動作させるための駆動制御信号を駆動回路４０に出力する処理を行えばよい。
【００５６】
一方、単独の指針（秒針１２）について、独立に間欠早送り動作及び連続早送り動作を行わせても良い。例えば、アナログ電子時計１００ａが世界の各都市の時刻表示を行うことが可能であって、秒針１２の指し示す位置によって時刻を表示する都市の設定を行う場合、秒針１２のみを一又は複数の都市分の変更に相当するステップ数（例えば、５ステップ）ずつ間欠的に早送り移動させる動作設定とすることが出来る。
【００５７】
このように、第２実施形態のアナログ電子時計１００ａによれば、秒針１２と分針１３とが異なるステッピングモータ３２、３３によって駆動される場合であっても、同様に間欠早送りモードでの秒針１２の早送りを可能とすることで、より容易に秒針１２の早送りを所望の位置近くで終了させることができる。
【００５８】
また、時刻や時間の表示に適合させ、連動して回転移動のタイミングが制御され、且つ、分針１３の動作間隔に対応したステップ数ごとに間欠早送りを行うことで、ユーザは、残りどの程度間欠的な早送りを行えば良いかを容易に判断することができる。
【００５９】
なお、本発明は、上記実施の形態に限られるものではなく、様々な変更が可能である。
例えば、上記実施の形態では、間欠早送りモードと連続早送りモードとが設けられたが、手動早送りの際には、間欠早送りモードのみとしても良い。
【００６０】
また、上記実施の形態では、一度間欠早送りモードから連続早送りモードに移行すると、早送り停止動作以外の動作が受け付けられない処理の例について説明したが、連続早送りモードから再度間欠早送りモードに戻すことが可能な処理であっても良い。
【００６１】
また、上記実施の形態では、りゅうずの回転動作により指針の移動を行わせることとしたが、その他の操作インタフェイス、例えば、押しボタンスイッチの押下によって指針の移動を行わせても良いし、１ステップ移動の場合、早送り移動の場合、或いは、指針の移動方向の違いなどにより異なる押しボタンスイッチを用いたり、押しボタンスイッチとりゅうずとを併用したりすることとしても良い。
【００６２】
また、上記実施の形態では、秒針１２と分針１３とが連動して回転する構成を例に挙げて説明したが、これに限られず、例えば、分針１３と時針１４とが連動して回転する構成でも良い。また、上記実施の形態では、独立に秒針１２及び分針１３の回転動作が可能な場合を挙げたが、独立に時針１４及び日車１５の回転動作が可能な構成としても良い。例えば、時針１４について、独立に間欠早送り動作及び連続早送り動作を行わせ、間欠早送り動作では、６０分（３０ステップ）早送り移動させるごとに一時停止を挿入する動作設定としても良い。
【００６３】
また、上記実施の形態では、間欠早送りモードにおいて秒針１２の一周に合わせて６０ステップ早送りさせるごとに一時停止を挿入したが、この所定のステップ数の設定方法としては、この基準に限られない。例えば、分針１３が１ステップ移動するのにあわせ、秒針１２を１０ステップ早送りさせるごとに一時停止を挿入しても良いし、分針１３の動作とあわせずに、ユーザの好みで１５ステップごとに一時停止を挿入しても良い。
【００６４】
また、上記実施の形態では、腕時計型のアナログ電子時計として説明したが、懐中時計や置時計に本発明を適用しても良い。
その他、上記実施の形態で示した具体的な構成、配置、動作制御などの細部は、本発明の趣旨を逸脱しない範囲において適宜変更可能である。
【００６５】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００６６】
［付記］
＜請求項１＞
文字盤に対して回転自在に設けられた第１指針と、
前記第１指針の回転動作を制御する駆動制御手段と、
ユーザの入力操作を受け付ける操作手段と
を備え、
前記駆動制御手段は、
前記操作手段への所定の開始操作に応じ、前記第１指針を２以上の所定ステップ数早送りで回転動作させるごとに、当該回転動作を所定時間一時停止させる早送り動作を行う間欠早送り手段を備える
ことを特徴とするアナログ電子時計。
＜請求項２＞
前記駆動制御手段は、
前記操作手段への所定の開始操作に応じ、前記第１指針を前記一時停止させずに連続的に早送りで回転動作させる早送り動作を行う連続早送り手段と、
前記操作手段への入力操作に応じ、前記間欠早送り手段による早送り動作と、前記連続早送り手段による早送り動作との間で切り替える早送り種別切替手段と
を備えることを特徴とする請求項１記載のアナログ電子時計。
＜請求項３＞
前記駆動制御手段は、
前記第１指針を前記一時停止させずに連続的に早送りで回転動作させる早送り動作を行う連続早送り手段を備え、
前記早送り動作がなされていないときに所定の開始操作が検出された場合には、前記間欠早送り手段による早送り動作を開始させ、
前記間欠早送り手段による早送り動作中に前記所定の開始操作が検出された場合には、前記連続早送り手段による早送り動作に移行させる
ことを特徴とする請求項１記載のアナログ電子時計。
＜請求項４＞
前記第１指針が所定の単位ステップ数回転動作されるごとに１ステップ回転動作するように輪列機構を介して設けられた第２指針を備え、
前記所定ステップ数は、前記単位ステップ数の整数倍に設定される
ことを特徴とする請求項１〜３の何れか一項に記載のアナログ電子時計。
＜請求項５＞
前記文字盤に対して回転自在に配置された第２指針を備え、
前記駆動制御手段は、前記第１指針を所定の単位ステップ数回転動作させるごとに前記第２指針を１ステップ回転動作させ、
前記所定ステップ数は、前記単位ステップ数の整数倍に設定される
ことを特徴とする請求項１〜３の何れか一項に記載のアナログ電子時計。
＜請求項６＞
前記所定ステップ数は、前記第１指針が前記文字盤に対して一周するのに要するステップ数に設定されることを特徴とする請求項４又は５記載のアナログ電子時計。
＜請求項７＞
前記操作手段への入力操作に基づいて、前記間欠早送り手段により前記第１指針を早送りさせる場合の前記所定ステップ数を設定するステップ数設定手段を備えることを特徴とする請求項１〜６の何れか一項に記載のアナログ電子時計。
【符号の説明】
【００６７】
１２   秒針
１３   分針
１４   時針
１５   日車
２２   輪列機構
２３   輪列機構
２４   輪列機構
２５   輪列機構
３２   ステッピングモータ
３３   ステッピングモータ
３４   ステッピングモータ
４０   駆動回路
４１   ＣＰＵ
４２   ＲＯＭ
４３   ＲＡＭ
４４   発振回路
４５   分周回路
４６   計時回路
４７   ドライバ
４８   ピエゾ素子
４９   操作部
５０   電源部
１００ アナログ電子時計
１００ａ      アナログ電子時計
【要約】
【課題】ユーザがより容易に所望の位置へ指針を移動させることのできるアナログ電子時計を提供する。
【解決手段】文字盤に対して回転自在に設けられた第１指針と、第１指針の回転動作を制御する駆動制御手段と、ユーザの入力操作を受け付ける操作手段と、を備え、駆動制御手段は、操作手段への所定の開始操作に応じ、第１指針を２以上の所定ステップ数早送りで回転動作させるごとに、この回転動作を所定時間一時停止させる早送り動作を行う間欠早送り手段を備える。
【選択図】図５【図１】
0005459374.tif 000002
【図２】
0005459374.tif 000003
【図３】
0005459374.tif 000004
【図４】
0005459374.tif 000005
【図５】
0005459374.tif 000006
【図６】
0005459374.tif 000007